(57)【特許請求の範囲】
【請求項１】
燃料供給の許可の入力に基づき被燃料供給体に燃料供給を行なう複数の燃料供給系統と、
前記複数の燃料供給系統それぞれに対して燃料供給の許可を指示するための許可入力手段と、
前記許可入力手段により指示された燃料供給系統へ燃料供給の許可を出力する許可出力手段と、
前記各燃料供給系統により燃料供給が行なわれた際に、当該燃料供給が行なわれた時刻と当該時刻において行なわれた燃料供給量とを対応付けて燃料供給情報として記憶する燃料供給情報記憶手段と、
所定期間内の燃料供給情報の集計を指示するための集計指示手段と、
前記集計指示手段により集計が指示された場合には、前記燃料供給情報記憶手段に記憶された燃料供給情報に基づき所定期間内の燃料供給情報を集計する集計手段と、
を有する燃料供給管理装置において、
前記各燃料供給系統による燃料供給がなされているか否かを判断する稼動状態判定手段を備え、
前記集計指示手段は、前記集計指示手段により集計の指示がなされた際、前記稼動状態判定手段が前記各燃料供給系統のうち燃料供給がなされている燃料供給系統があると判断している場合には前記集計手段による前記燃料供給情報の集計を保留とし、前記稼動状態判定手段が前記燃料供給系統による燃料供給がなされていないと判断している場合には前記集計手段に対して集計を指示し、
前記許可出力手段は、前記集計手段による集計が保留とされている状態において前記許可入力手段より燃料供給の許可が指示された場合には、当該指示された燃料供給系統へ燃料供給の許可を出力することを特徴とする燃料供給管理装置。
【発明の詳細な説明】
【技術分野】
【０００１】
本発明は燃料供給管理装置に係り、特に燃料供給情報記憶手段に記憶された燃料供給情報に基づき所定期間内の燃料供給情報を集計する機能を有する燃料供給管理装置に関する。
【背景技術】
【０００２】
給油所等に設置された燃料供給装置においては、給油所を閉店する際にその日の給油毎の給油金額や給油された各油種毎の給油量、あるいはプリペイドカードの販売枚数などを記載（記録）した日報を印刷する日報処理を行なっている（例えば、特許文献１参照）。また、２４時間営業の給油所においては、例えば、午前１時などの予め決められた時刻に給油所の係員が燃料供給管理装置に対してその日の集計処理を行なうように指示を入力している。
【０００３】
ところで、上記集計処理を行なっている最中に燃料供給機で給油が行なわれていると、この給油情報が集計前の給油情報として扱うのか、あるいは今回の集計には含まれない給油情報とするのかが分からなくなってしまうという問題がある。
【０００４】
このため、集計処理を行なう場合は、給油が行なわれていないことを係員が確認し、その間に集計処理を行なうようにしている。また、集計処理を優先させる場合は、予め時間帯を決めて給油を禁止し、この時間帯に集計処理を行なうようにしている。
【特許文献１】特開２００２−３６２６９８号公報
【発明の開示】
【発明が解決しようとする課題】
【０００５】
上記従来の燃料供給管理装置では、集計処理を行なうのに際し、給油が全く行なわれていないことを係員自身が確認してから集計処理開始の指示を行なわなければならず、燃料供給機で給油が行なわれている場合には、この給油が終了するのを待って集計指示を入力する必要があり、この待っている間は他の処理を行なうことができず、集計処理が遅れるという問題がある。
【０００６】
特に、複数の燃料供給機を管理する燃料供給管理装置においては、集計処理を行なう場合には、全ての燃料供給機の稼動状況を判断する必要があり、非常に手間がかかる。
【０００７】
さらには、給油所において、複数箇所に燃料供給機が混在している場合には、複数の燃料供給機における給油が全て行なわれていない状況を把握することが難しく、この結果、集計処理を決まった時間帯（閉店時間の前後）に効率良く行なうことが難しいという問題があった。
そこで、本発明は上記事情に鑑み、上記課題を解決した燃料供給管理装置を提供することを目的とする。
【課題を解決するための手段】
【０００８】
上記課題を解決するため、本発明は以下のような手段を有する。
【０００９】
本発明は、燃料供給の許可の入力に基づき被燃料供給体に燃料供給を行なう複数の燃料供給系統と、
前記複数の燃料供給系統それぞれに対して燃料供給の許可を指示するための許可入力手段と、
前記許可入力手段により指示された燃料供給系統へ燃料供給の許可を出力する許可出力手段と、
前記各燃料供給系統により燃料供給が行なわれた際に、当該燃料供給が行なわれた時刻と当該時刻において行なわれた燃料供給量とを対応付けて燃料供給情報として記憶する燃料供給情報記憶手段と、
所定期間内の燃料供給情報の集計を指示するための集計指示手段と、
前記集計指示手段により集計が指示された場合には、前記燃料供給情報記憶手段に記憶された燃料供給情報に基づき所定期間内の燃料供給情報を集計する集計手段と、
を有する燃料供給管理装置において、
前記各燃料供給系統による燃料供給がなされているか否かを判断する稼動状態判定手段を備え、
前記集計指示手段は、前記集計指示手段により集計の指示がなされた際、前記稼動状態判定手段が前記各燃料供給系統のうち燃料供給がなされている燃料供給系統があると判断している場合には前記集計手段による前記燃料供給情報の集計を保留とし、前記稼動状態判定手段が前記燃料供給系統による燃料供給がなされていないと判断している場合には前記集計手段に対して集計を指示し、
前記許可出力手段は、前記集計手段による集計が保留とされている状態において前記許可入力手段より燃料供給の許可が指示された場合には、当該指示された燃料供給系統へ燃料供給の許可を出力することを特徴とすることにより、上記課題を解決するものである。
【発明の効果】
【００１０】
本発明によれば、稼動状態判定手段が燃料供給系統による燃料供給がなされていると判断している場合には、集計手段による燃料供給情報の集計を保留とし、稼動状態判定手段が燃料供給系統による燃料供給がなされていないと判断している場合には集計手段に対して集計を指示し、集計手段による集計が保留とされている状態において許可入力手段より燃料供給の許可が指示された場合には、当該指示された燃料供給系統へ燃料供給の許可を出力するため、集計処理を行なうように予め決められた時刻が設定された場合に、燃料供給系統による燃料供給が停止したときに自動的に集計処理を実行することができ、係員が給油終了を確認する必要がなく、複数箇所で給油可能な場合にも係員が複数箇所を見て回るといった面倒な作業が不用になり、複数箇所の給油終了を待つことで集計開始が遅れることを防止できる。
【発明を実施するための最良の形態】
【００１１】
以下、図面を参照して本発明を実施するための最良の形態について説明する。
【実施例１】
【００１２】
図１は本発明による燃料供給管理装置の一実施例が適用された燃料供給システムを示す構成図である。図１に示されるように、燃料供給システム１０は、例えば、多数のトラック２０を所有する運送会社の敷地に設置されている。この給油システム１０は、地下に埋設された地下タンク３０と、地下タンク３０からの給油配管４０が接続された計量機（燃料供給機）５０と、計量機５０の近傍に設置された燃料供給管理装置６０とから構成されている。
【００１３】
計量機５０は、給油ホース５４及び給油ノズル５２を含む複数の燃料供給系統が接続されており、例えば、軽油用あるいはレギュラーガソリン用の燃料供給系統が設けられている。また、計量機５０は、燃料供給管理装置６０の制御装置と接続されており、後述するように燃料供給管理装置６０において設定操作が完了すると、設定された条件（選択された油種の給油ノズル、給油量）に基づいて給油が許可される。
【００１４】
また、トラック２０の運転者は、給油すべき油種、給油量を各給油ノズル５２に対応させて燃料供給管理装置６０による設定操作を行なってからトラック２０の燃料タンク（被燃料供給体）に対する給油ノズル５２を用いた給油操作を行なう。尚、図１においては、１台の計量機５０しか表示していないが、図３に示すように燃料供給管理装置６０により複数の計量機５０１〜５０ｎに対する入力・出力を行なうことも可能である。また、計量機５０では、異なる油種を供給する複数の給油ノズル５２を有する構成としても良いし、あるいは同じ油種を供給する複数の給油ノズル５２を有する構成としても良い。
【００１５】
図２は燃料供給管理装置６０を拡大して示す正面図である。図３は燃料供給システム１０の主要構成を示すブロック図である。図２及び図３に示されるように、燃料供給管理装置６０は、筐体７０の内部に制御装置(図２中、破線で示す)８０が収納されており、筐体７０の前面７２にはタッチパネル方式の液晶モニタ（表示装置）９０と、カードリーダ１００と、プリンタ１１０と、各給液ノズル毎の給油情報（給油時刻、給油油種、給油量など）を記憶する記憶装置（燃料供給情報記憶手段）１２０とが設けられている。
また、記憶装置１２０には、集計の指示がなされた場合には、燃料供給系統による燃料供給がなされていないことを条件に集計を指示する制御プログラム（集計指示手段）と、集計が指示された場合には、記憶装置１２０に記憶された燃料供給情報に基づき所定期間内の燃料供給情報を集計する制御プログラム（集計手段）と、燃料供給系統による燃料供給がなされるか否かを判断する制御プログラム（稼動状態判定手段）と、集計処理が終了したとき、燃料供給系統への燃料供給の許可を出力する制御プログラムとが格納されている。制御装置８０は、記憶装置１２０から上記各制御プログラムを読み込んで各制御処理を実行する。
【００１６】
液晶モニタ９０は、タッチパネル方式の画面を有するため、操作者に対して操作手順をガイダンスしながら設定内容を表示する表示装置と、運転者が表示画面に触れることにより設定情報を入力する入力装置とを兼ねている。
【００１７】
カードリーダ１００は、各運転者あるいは各車両毎に発行された磁気カードが挿入されるスリット１０２を有し、磁気カードがスリット１０２に通されると磁気カードに記録された識別データを読み取る磁気ヘッドを有する。
【００１８】
プリンタ１１０は、給油が終了すると、給油された日時、油種、給油量、カード番号などを印字したレシートを発行する。また、プリンタ１１０は、後述するように液晶モニタ９０からの入力によりその日の日報（各車両毎の本日の給油量、及びその集計値が印字されたもの）を出力するように指示されると、各燃料供給系統毎（各給液ノズル毎）に給油された給油量が集計され、集計結果を印字した日報を発行する。尚、その給油量を含む給油情報を集計する場合、予め決められた時刻になると集計処理を実行するように設定することも可能である。
【００１９】
ここで、制御装置８０が実行する制御処理について図４に示すフローチャートを参照して説明する。尚、図４の各処理を説明する中で参照すべき液晶モニタ９０に表示される表示画面の表示例を図５Ａ〜図５Ｆに示す。
【００２０】
制御装置８０は、図４に示すＳ１１で給油ノズル５２による給油中の燃料供給系統があるか否かをチェックする。Ｓ１１において、給油中の燃料供給系統が無い場合（ＮＯの場合）は、Ｓ１２に進み、初期画面２００を表示する（図５Ａ参照）。この初期画面２００には、各給油ノズルに対応するノズル番号０１〜０８と、各給油ノズルにより給油される油種名が表示された油種釦２１１〜２１８とが表示されている。さらに、初期画面２００の上部に形成されたガイダンス領域２０９には、「カードを読み込ませて下さい」といったメッセージが表示される。このメッセージを呼んだ運転者は、会社から発行されたＩＤカードをカードリーダ１００に通して、ＩＤカードに記憶された識別データを読み込ませる。
【００２１】
また、図５Ａにおいて、初期画面２００では、油種釦２１１〜２１８のそれぞれにハイオク、レギュラー、軽油、灯油、重油、オイル、ハイオク軽油等の正式な油種名が表示される。また、油種釦２１１〜２１８に対応する各ノズル番号０１〜０８の表示欄は、給油中であるノズルについてハイライト表示（例えば、給油中のノズル番号欄を明るく発光させたり、あるいは赤色や橙色等の目立つ色で表示）を行なう。
【００２２】
また、上記Ｓ１１において、例えば、ノズル掛けスイッチがオンの場合、あるいは給油許可が出力された後に給油終了が送信されない場合、給油中の燃料供給系統があるものと判定されて（ＹＥＳの場合）、Ｓ１３に進み、設定内容画面２４０を液晶モニタ９０に表示する（図５Ｅ参照）。設定内容画面２４０では、設定操作が完了したノズル番号の表示欄をハイライト表示（例えば、明るく発光させたり、あるいは赤色や橙色等の目立つ色で表示）して使用中であることを報知する。
【００２３】
次のＳ１４では、カードリーダ１００にＩＤカードに記録されたカードデータが読み取られか否かをチェックする。Ｓ１４でカードデータが入力されないときは（ＮＯの場合）、Ｓ１５に進み、給油ノズル５２による給油が終了して実給油情報が入力されたか否かをチェックする。そして、Ｓ１５において、実給油情報が入力されないときは、Ｓ１６に進み、日報処理の実行が指示されたか（日報指示フラグが存在するか）否かをチェックする。Ｓ１６において、日報処理の実行が指示されていない（日報指示フラグが存在せず）ときは、上記Ｓ１４の処理に戻る。
【００２４】
また、Ｓ１４でカードデータが入力されたときは（ＹＥＳの場合）、Ｓ１７に進み、カードリーダ１００で読み込まれたＩＤカードの識別データ（カードデータ）が正規のデータか否かをチェックする。Ｓ１７でＩＤカードの識別データ（ＩＤデータ）が正規のデータでないときは（ＮＯの場合）、上記Ｓ１２に戻り、Ｓ１２以降の処理を再度行なう。
【００２５】
また、Ｓ１７でＩＤカードの識別データ（ＩＤデータ）が正規のデータであるときは（ＹＥＳの場合）、Ｓ１８に進み、給油情報（給油ノズル（燃料供給系統）、給油量など）の入力指示を液晶モニタ９０に表示する。Ｓ１８では、例えば、液晶モニタ９０にノズル選択画面２１０を表示する（図５Ｂ参照）。そして、ノズル選択操作が行なわれると、液晶モニタ９０に給油量選択画面２２０を表示する（図５Ｃ参照）。給油量選択画面２２０のガイダンス領域２０９には、「給油量を選択して下さい」といったメッセージが表示される。さらに、給油量選択画面２２０には、１００Ｌ（リットル）選択釦２２１、５０Ｌ（リットル）選択釦２２２、４０Ｌ（リットル）選択釦２２３、１０Ｌ（リットル）選択釦２２４、満タン給油選択釦２２５、取消釦２２６，任意の数値を入力するための給油量入力釦２２７が表示される。
【００２６】
給油量選択画面２２０による給油量の選択方法としては、所定の数量を選択する１００Ｌ（リットル）選択釦２２１、５０Ｌ（リットル）選択釦２２２、４０Ｌ（リットル）選択釦２２３、１０Ｌ（リットル）選択釦２２４をオンに操作する方法と、満タン給油選択釦２２５をオンに操作して給油ノズル５２の自動閉弁機構を用いた満タン給油と、給油量入力釦２２７をオンに操作して希望する数量を入力する方法とがある。
【００２７】
所定の数量釦２２１〜２２４の何れかがオンに操作されたときは、選択された当該ノズル番号に対応する油種名を略称で表示すると共に、選択された給油量を表示する油種・給油量確認画面２３０を液晶モニタ９０に表示する（図５Ｄ参照）。
【００２８】
油種・給油量確認画面２３０は、選択されたノズル番号の油種名と給油量を表示する表示窓２３２を表示する。表示窓２３２には、例えば、ハイオクガソリン１００Ｌが選択された場合、「ハイオク１００Ｌでよろしいですか」といったメッセージと、「はい」を選択するはい釦２３４と「いいえ」を選択するいいえ釦２３６とが表示される。
【００２９】
また、上記Ｓ１８において、給油量入力釦２２７がオンに操作されたときは、Ｓ２４に進み、給油量入力画面２５０を液晶モニタ９０に表示させる（図５Ｆ参照）。給油量入力画面２５０のガイダンス領域２０９には、「給油量を入力して下さい」といったメッセージが表示される。また、給油量入力画面２５０には、任意の給油量の数値を入力するためのテンキー２５２と、入力した数値を表示する数値表示部２５４と、入力した数値をクリアするためのクリア釦２５６と、入力した数値が正しい場合に操作される決定釦２５８とが表示される。
【００３０】
そして、テンキー２５２の操作により数値が入力され、決定釦２５８がオンに操作されると、上記Ｓ１９に移行して選択された当該ノズル番号に対応する油種名を略称で表示すると共に、給油量を表示する油種・給油量確認画面２３０を液晶モニタ９０に表示する（図５Ｄ参照）。これにより、操作者が希望する任意の給油量をプリセット値として設定することができる。
【００３１】
次のＳ１９では、上記給油情報が入力されたか否かをチェックする。Ｓ１９において、給油情報が入力されていないとき（ＮＯの場合）は、上記Ｓ１８に戻り、給油情報の入力を指示する。
【００３２】
また、Ｓ１９において、給油情報が入力されたとき（ＹＥＳの場合）は、Ｓ２０に進み、選択された給油ノズル５２（燃料供給系統）を有する計量機５０に対して給油許可と給油情報を送信する。そして、上記Ｓ１１の処理に戻る。
【００３３】
また、上記Ｓ１５において、実給油情報が入力されたときは、Ｓ２１に進み、入力された実給油情報（給油ノズル、油種、数量、カードデータ、時刻など）を記憶装置１２０に記憶させる。続いて、Ｓ２２に進み、実給油情報を印字した伝票をプリンタ１１０から発行する。そして、上記Ｓ１１の処理に戻る。
【００３４】
また、上記Ｓ１６において、例えば、日報集計操作画面２６０を液晶モニタ９０に表示する（図５Ｇ参照）。これにより、操作者は、日報集計操作画面２６０に表示されたメッセージ２６２（本日の日報を集計しますか？）を確認して「はい」を選択するはい釦２６４と、「いいえ」を選択するいいえ釦２４６と、取消釦２４８の何れかをオンに操作する。この日報集計操作画面２６０のはい釦２６４をオンに操作すると、日報処理指示が入力される。また、予め日報の集計開始時刻が設定されている場合には、日報指示フラグがオンにセットされることで、当該設定時刻に達した時点で日報の集計処理が開始される。
【００３５】
そして、上記Ｓ１６ではい釦２６４がオンに操作されて日報処理の実行が指示された（日報指示フラグが存在する）ときは（ＹＥＳの場合）は、Ｓ２３に進み、給油ノズル５２による給油中の燃料供給系統があるか否かをチェックする。上記Ｓ２３において、給油中の燃料供給系統（計量機５０あるいは給液ノズル５２）がある場合（ＹＥＳの場合）は、Ｓ３０に進み、日報指示フラグがオンであることを記憶して待機状態となる。そして、給油中の燃料供給系統があるので、集計処理を保留して上記Ｓ１１の処理に戻る。
【００３６】
また、Ｓ２３において、給油中の燃料供給系統（計量機５０あるいは給液ノズル５２）が無い場合（ＮＯの場合）は、Ｓ２４に進み、日報出力済みフラグの付されていない給油情報をプリンタ１１０より集計印字する。従って、制御処理８０では、給油ノズル５２による給油が行なわれていないことを条件に記憶装置１２０に記憶された各給油情報を集計して本日の集計処理が行なわれ、さらにプリンタ１１０は、集計結果を印字した日報を出力する。尚、集計処理を行なう日時を指定した場合には、指定された日時における集計結果を印字した日報を出力することができる。
【００３７】
次のＳ２５では、締め処理を実行するかを質問するための締め処理伺い画面２７０を液晶モニタ９０に表示する（図５Ｈ参照）。締め処理伺い画面２７０には、メッセージ２７２（本日の日報をクリアしますか？）と、「はい」を選択するはい釦２７４と、「いいえ」を選択するいいえ釦２７６と、取消釦２７８とが表示される。
【００３８】
次のＳ２６では、締め処理の指示が入力されたか否かをチェックする。Ｓ２６において、はい釦２７４がオンに操作された（ＹＥＳの場合）は、Ｓ２７に進み、集計された給油情報に日報出力済みフラグを付して記憶を更新する。そして、Ｓ２８では、日報指示フラグの記憶を抹消する。
【００３９】
次のＳ２９では計量機５０から給油許可の要求が入力されているか否かをチェックする。Ｓ２９において、計量機５０から給油許可の要求が入力されている場合は、上記Ｓ１２の処理に移行して指定された給液ノズル５２に対する給油許可を送信するように通常の給油処理を行なう。また、Ｓ２９において、計量機５０から給油許可の要求が入力されていない場合は、上記Ｓ１１の処理に戻る。
【００４０】
このように、燃料供給管理装置６０においては、日報処理が指示された場合、給油中の計量機５０あるいは給液ノズル５２があるか否かを確認し、給油中の計量機５０あるいは給液ノズル５２がある場合には、日報処理を保留し、給油中の計量機５０あるいは給液ノズル５２による給油が終了したとき、自動的に日報処理を開始することが可能になる。そのため、係員が複数の計量機５０あるいは複数の給液ノズル５２の給油状態が終了していることを確認する必要がなく、日報処理を行なうために余計な作業を行なわずに済み、係員の負担を軽減することができる。さらに、計量機５０あるいは給液ノズル５２で給油中の場合、日報処理の指示を再度入力する必要がなくなるため、係員による入力操作を簡素化することが可能になる。
【産業上の利用可能性】
【００４１】
尚、上記実施例では、ガソリンや軽油などの油液を給油する給油システムを例に挙げて説明したが、これに限らず、これ以外の燃料（例えば、ＣＮＧ，ＬＮＧ，ＬＰＧ、水素など）を供給する燃料供給システムにも本発明を適用することができるのは勿論である。
また、上記実施例では、設定装置６０が計量機５０と別体に設けられた構成を例示したが、これに限らず、計量機５０の筐体に燃料供給管理装置６０が収納された一体構造とされたものにも本発明が適用することができるのは、勿論である。
【図面の簡単な説明】
【００４２】
【図１】本発明による燃料供給管理装置の一実施例が適用された燃料供給システムを示す構成図である。
【図２】燃料供給管理装置６０を拡大して示す正面図である。
【図３】燃料供給システム１０の主要構成を示すブロック図である。
【図４】制御装置８０が実行する制御処理を説明するためのフローチャートである。
【図５Ａ】初期画面２００の表示例を示す図である。
【図５Ｂ】ノズル選択画面２１０の表示例を示す図である。
【図５Ｃ】給油量選択画面２２０の表示例を示す図である。
【図５Ｄ】油種・給油量確認画面２３０の表示例を示す図である。
【図５Ｅ】設定内容画面２４０の表示例を示す図である。
【図５Ｆ】給油量入力画面２５０の表示例を示す図である。
【図５Ｇ】日報集計操作画面２６０の表示例を示す図である。
【図５Ｈ】締め処理伺い画面２７０の表示例を示す図である。
【符号の説明】
【００４３】
１０  燃料供給システム
３０  地下タンク
４０  給油配管
５０，５０１〜５０ｎ  計量機
５２  給油ノズル
６０  燃料供給管理装置
８０  制御装置
９０  液晶モニタ
１００  カードリーダ
１１０  プリンタ
１２０  記憶装置
２００  初期画面
２１０  ノズル選択画面
２２０  給油量選択画面
２３０  油種・給油量確認画面
２４０  設定内容画面
２５０  給油量入力画面
２６０  日報集計操作画面
２７０  締め処理伺い画面
【図１】
0004802147.tif 000002
【図２】
0004802147.tif 000003
【図３】
0004802147.tif 000004
【図４】
0004802147.tif 000005
【図５Ａ】
0004802147.tif 000006
【図５Ｂ】
0004802147.tif 000007
【図５Ｃ】
0004802147.tif 000008
【図５Ｄ】
0004802147.tif 000009
【図５Ｅ】
0004802147.tif 000010
【図５Ｆ】
0004802147.tif 000011
【図５Ｇ】
0004802147.tif 000012
【図５Ｈ】
0004802147.tif 000013